(57)【要約】【課題】良好な放熱性能と防水性能、高効率、および長寿命を有する街路照明モジュールを提供する。【解決手段】街路照明モジュールは、レンズアセンブリ１と、密閉リング２と、伝熱ベースプレート３と、放熱アセンブリとを備える。レンズアセンブリ１は伝熱ベースプレート３の表側に取り付けられ、密閉リング２は、レンズアセンブリ１と放熱アセンブリとの間に設置されてレンズアセンブリ１と伝熱ベースプレート３との間に密閉空間を形成している。複数のＬＥＤ照明器５が、伝熱ベースプレート３上に設けられている。ＬＥＤ照明器５は、密閉空間内に配置され、電源の入力用端部に電気的に接続されている。放熱アセンブリは、伝熱ベースプレート３の裏側に位置している。【選択図】図３
0003172317.tif 000002
【実用新案登録請求の範囲】
【請求項１】
街路照明モジュールであって、
伝熱ベースプレートと、
前記伝熱ベースプレートに設けられた複数のＬＥＤ照明器と、
前記伝熱ベースプレートの表側に取り付けられたレンズアセンブリと、
前記伝熱ベースプレートの裏側に取り付けられた放熱アセンブリと、
前記レンズアセンブリと前記放熱アセンブリとの間に設置されて、前記レンズアセンブリと前記伝熱ベースプレートとの間に密閉空間を形成する密閉リングと、
を備え、
前記複数のＬＥＤ照明器が、前記密閉空間内に配置され、電源の入力用端部に電気的に接続されている、街路照明モジュール。
【請求項２】
前記レンズアセンブリの上面に複数の蒸しパン形のレンズが設けられており、前記各パン形レンズが各ＬＥＤ照明器に対応している、請求項１に記載の街路照明モジュール。
【請求項３】
請求項１に記載の街路照明モジュールであってさらに、
防水ボックスと、
前記ＬＥＤ照明器と前記電源の入力用端部との間に設けられた定電流モジュールと、を備え、
前記定電流モジュールは前記防水ボックスの中に配置され、前記防水ボックスにはワイヤ用穴が形成されており、ワイヤがそこを通過して前記電源の入力用端部を前記定電流モジュールに電気的に接続させ、前記ワイヤを保護する保護被覆部が前記ワイヤ用穴に設けられており、防水ジョイントが前記電源の入力用端部に備えられている、街路照明モジュール。
【請求項４】
請求項１から３のいずれか一つに記載の街路照明モジュールであって、
前記放熱アセンブリが、取付けプレートと、複数の放熱フィンとを備え、
前記取付けプレート上に複数の互いに平行なスロットが設けられ、前記複数の放熱フィンがその上に互いに平行に配置されており、前記取付けプレートに隣接する前記各放熱フィンの端部が固定端部であり、前記各放熱フィンの前記固定端部は前記スロット内にそれぞれ挿入されており、前記各放熱フィンの前記固定端部は直線的な部分としての形状を有し、前記スロットは鉛直スロットであり、隣接する鉛直スロット同士の各ペアの間には工程用スロットが設けられている、街路照明モジュール。
【請求項５】
請求項４に記載の街路照明モジュールであってさらに、
複数の位置決めスロットが設けられた固定具を備え、
前記放熱フィンのその他の側端部が前記固定具の位置決めスロットに挿入されている、街路照明モジュール。
【請求項６】
請求項５に記載の街路照明モジュールであってさらに、
少なくとも３つの固定具を備え、それらが前記放熱フィンの上側、左側、および右側にそれぞれ配置されている、街路照明モジュール。
【請求項７】
前記工程用スロットがＶ字形またはＵ字形である、請求項４に記載の街路照明モジュール。
【請求項８】
前記各放熱フィンに対応のスルーホールが設けられており、前記取付けプレート上に配置された状態で伝熱銅管が接続しており、前記伝熱銅管は全ての前記放熱フィンの各スルーホールを通過している、請求項４に記載の街路照明モジュール。
【請求項９】
前記各放熱フィンに対応の対流穴が設けられており、さらに、隣接する放熱フィン同士の間の側部および上部に通気ギャップが設けられている、請求項４に記載の街路照明モジュール。
【請求項１０】
前記取付けプレートの両端部にブラケットが備えられた、請求項４に記載の街路照明モジュール。
【考案の詳細な説明】
【技術分野】
【０００１】
本考案は、街路照明モジュールに関する。
【背景技術】
【０００２】
当技術分野で既知の街路照明のほとんどは、高圧ナトリウムランプまたは金属ハロゲンランプを採用している。技術の発展と共に、ＬＥＤの街路照明が開発された。ＬＥＤは、光効率が高く、レンズアセンブリの設計が良いため、従来の街路照明に比べて、光源としてのＬＥＤの光効率および複数利用率（multiple utilization rate）は高い。しかしＬＥＤ照明器は、使用時に多くの熱を発生させ、それによって光効率が低下する可能性があり、また、放熱条件が悪い場合はＬＥＤ照明器の寿命が短くなる可能性がある。一方で、光源として使用される複数のＬＥＤ照明器の各々の防水化に関する問題を考慮し、入り込む雨水によって街路照明の絶縁性が損なわれないようにする必要がある。既知のＬＥＤ街路照明は、未だに放熱および防水の点で欠点を有している。
【考案の概要】
【考案が解決しようとする課題】
【０００３】
本考案は、当技術分野での欠点を克服した街路照明モジュールを提供するものである。本考案は、良好な放熱性能と防水性能、および長寿命を有する。
【課題を解決するための手段】
【０００４】
上記目的を達成するための技術的解決手段は、街路照明モジュールであって、複数のＬＥＤ照明器が設けられた伝熱ベースプレートと、伝熱ベースプレートの表側に取り付けられたレンズアセンブリと、レンズアセンブリと放熱アセンブリとの間に設置されてレンズアセンブリと伝熱ベースプレートとの間に密閉空間を形成するための密閉リングと、伝熱ベースプレートの裏側に取り付けられた放熱アセンブリと、を有し、前記複数のＬＥＤ照明器が、前記密閉空間内に配置され、電源の入力用端部に電気的に接続されている。
【０００５】
好適には、前記レンズアセンブリの上面に複数の蒸しパン形のレンズが設けられており、各パン形レンズが各ＬＥＤ照明アセンブリに対応している。
【０００６】
好適には、街路照明モジュールはさらに、防水ボックスと、ＬＥＤ照明器と前記電源の入力用端部との間に設けられた定電流モジュールとを備える。定電流モジュールは、防水ボックスの中に配置される。防水ボックスにはワイヤ用穴が形成されており、ワイヤがそこを通過して、前記電源の入力用端部を定電流モジュールに電気的に接続させる。ワイヤを保護する保護被覆部が、ワイヤ用穴に設けられている。防水ジョイントが、前記電源の入力用端部に備えられている。
【０００７】
好適には、放熱アセンブリは、取付けプレートと、複数の放熱フィンとを含む。取付けプレート上に複数の互いに平行なスロットが設けられ、複数の放熱フィンがその上に互いに平行に配置されている。取付けプレートに隣接する各放熱フィンの端部が、放熱フィンの固定端部である。各放熱フィンの固定端部は、スロット内にそれぞれ挿入されている。放熱フィンの固定端部は直線的な部分としての形状を有し、スロットは鉛直スロットであり、隣接する鉛直スロット同士の各ペアの間には工程用スロットが設けられている。
【０００８】
好適には、街路照明モジュールはさらに、複数の位置決めスロットを備えた固定具を有する。放熱フィンのその他の側端部は、固定具の位置決めスロットに挿入される。
【０００９】
好適には、少なくとも３つの固定具があり、それらが放熱フィンの上側、左側、および右側にそれぞれ配置される。
【００１０】
好適には、工程用スロットはＶ字形またはＵ字形である。
【００１１】
好適には、各放熱フィンにスルーホールが設けられており、取付けプレート上に配置された状態で伝熱銅管が接続している。伝熱銅管は、全ての放熱フィンの各スルーホールを通過している。
【００１２】
好適には、各放熱フィンに対応の対流穴が設けられ、さらに、隣接する放熱フィン同士の間の側部および上部に、通気ギャップが設けられる。
【００１３】
好適には、取付けプレートの両端部にブラケットが備えられる。
【００１４】
要約すると、本考案は以下の利点を有する。
【考案の効果】
【００１５】
１．レンズアセンブリと伝熱ベースプレートとの間に密閉空間が形成され、その内部に複数のＬＥＤ照明器が配置される。密閉空間は、雨水が密閉空間に入ることを防止するので、街路照明モジュールの全体的な防水性能が向上する。
【００１６】
２．動作時には、ＬＥＤ照明器が発生させた熱は、伝熱ベースプレートによって放熱アセンブリへ伝達された後、大気中に放出される。それにより、街路照明モジュールの放熱性能が向上し、ＬＥＤ照明器の寿命が延びる。
【００１７】
３．レンズの優れた設計によって、良く効果的に利用できるスポットを得ることができる。
【００１８】
４．定電流モジュールによって、ＬＥＤ照明器への入力パワーを定電流とすることが可能になり、動作時のＬＥＤ照明器の安定性が向上する。同時に、定電流モジュールが発生させた熱も同様に、放熱アセンブリを通じて空気中に放出することができる。さらに、定電流モジュールおよびそのワイヤは全て防水であり、街路照明モジュール全体の安定性が向上する。
【００１９】
５．放熱フィンの固定端部は直線的な部分としての形状を有し、スロットは鉛直スロットである。固定時には、放熱フィンを、直接に各鉛直スロットに垂直に挿入した後、それらのスロットの両側に位置する工程用スロットにてモールドを用いて押し込むことができる。この工程は実現が容易であり、高い製造効率をもたらす。
【００２０】
６．伝熱銅管によって、伝熱ベースプレートから放熱フィンへの熱伝導効率が向上する。
【００２１】
７．放熱フィンの側部にて固定する固定具によって、放熱フィンの固定安定性が向上する。
【００２２】
８．Ｖ字形またはＵ字形の工程用スロットは、放熱フィンをしっかりと押し込むのに適している。
【００２３】
９．放熱フィンにおける対流穴および通気ギャップの構成によって、放熱フィンと空気との間の熱交換が強化され、街路照明モジュールの放熱性能が向上する。
【図面の簡単な説明】
【００２４】
【図１】本考案の一実施形態による街路照明モジュールを示す概略斜視図である。
【図２】本考案の一実施形態による街路照明モジュールを示す概略底面図である。
【図３】本考案の一実施形態による街路照明モジュールを示す分解図である。
【図４】放熱アセンブリを示す構造図である。
【図５】取付けプレートと放熱フィンとの接続を示す構造図である。
【図６】固定具と放熱フィンとの接続を示す構造図である。
【考案を実施するための形態】
【００２５】
以下、図面を参照して本考案の一実施形態を詳細に説明する。
【００２６】
図１から図６に示すように、街路照明モジュールは、レンズアセンブリ１と、密閉リング２と、伝熱ベースプレート３と、放熱アセンブリ４とを備える。レンズアセンブリ１は伝熱ベースプレート３の表側に取り付けられ、密閉リング２は、レンズアセンブリ１と放熱アセンブリ４との間に設置されてレンズアセンブリ１と伝熱ベースプレート３との間に密閉空間を形成している。複数のＬＥＤ照明器５が、伝熱ベースプレート３上に設けられている。ＬＥＤ照明器５は、密閉空間内に配置され、電源の入力用端部に電気的に接続されている。放熱アセンブリ４は、伝熱ベースプレート３の裏側に位置している。
【００２７】
レンズアセンブリ１の上面に複数の蒸しパン形のレンズ６が設けられており、その各レンズはそれぞれのＬＥＤ照明器５に対応している。街路照明モジュールはさらに、防水ボックス７と、ＬＥＤ照明器５と電源の入力用端部との間に設けられた定電流モジュールとを備える。定電流モジュールは、防水ボックス７の中に配置されている。防水ボックス７にはワイヤ用穴が形成されており、ワイヤ９がそこを通過して、電源の入力用端部を定電流モジュールに電気的に接続させる。保護被覆部８が、ワイヤ用穴に設けられている。防水ジョイント１０が、電源の入力用端部に備えられている。
【００２８】
放熱アセンブリ４は、取付けプレート１１と、複数の放熱フィン１２とを含む。取付けプレート１１上に複数の平行なスロット１３が設けられ、複数の放熱フィン１２がその上に互いに平行に配置されている。放熱フィン１２の固定端部が、取付けプレート１１に隣接している。各放熱フィン１２の固定端部は、スロット１３内にそれぞれ挿入されている。放熱フィン１２の固定端部は直線的な部分としての形状を有し、スロット１３は鉛直スロットであり、隣接する鉛直スロット１３同士の各ペアの間には工程用スロット１４が設けられている。
【００２９】
放熱アセンブリ４はさらに、複数の位置決めスロットが設けられた固定具１５を備える。放熱フィン１２のその他の側端部は、固定具１５の位置決めスロットに挿入されている。４つの固定具１５があり、そのうちの２つの固定具１５が放熱フィン１２の上側に配置され、残りの２つの固定具１５が放熱フィン１２の左側および右側に配置されている。工程用スロット１４はＶ字形またはＵ字形である。各放熱フィン１２にスルーホールが設けられており、取付けプレート１１上に配置された状態で伝熱銅管１６が接続している。伝熱銅管１６は、全ての放熱フィン１２の各スルーホールを通過している。各放熱フィン１２に対応の対流穴１７が設けられ、さらに、隣接する放熱フィン１２同士の間の側部および上部に、通気ギャップが設けられている。取付けプレートの両端部にブラケット１８が備えられている。
【００３０】
本実施形態の利点は、以下のとおりである。
【００３１】
１．レンズアセンブリ１と伝熱ベースプレート３との間に密閉空間が形成され、その内部に複数のＬＥＤ照明器５が配置される。密閉空間は、雨水が密閉空間に入ることを防止するので、街路照明モジュールの全体的な防水性能が向上する。
【００３２】
２．動作時には、ＬＥＤ照明器５が発生させた熱は、伝熱ベースプレート３によって放熱アセンブリ４へ伝達された後、大気中に放出される。それにより、街路照明モジュールの放熱性能が向上し、ＬＥＤ照明器５の寿命が延びる。
【００３３】
３．レンズの優れた設計によって、良く効果的に利用できるスポットを得ることができる。
【００３４】
４．定電流モジュールによって、ＬＥＤ照明器５への入力パワーを定電流とすることが可能になり、動作時のＬＥＤ照明器５の安定性が向上する。同時に、定電流モジュールが発生させた熱も同様に、放熱アセンブリ４を通じて空気中に放出することができる。さらに、定電流モジュールおよびそのワイヤ９は全て防水であり、街路照明モジュール全体の安定性が向上する。
【００３５】
５．放熱フィン１２の固定端部は直線的な部分としての形状を有し、スロット１３は鉛直スロットである。固定時には、放熱フィン１２を、直接に各鉛直スロット１３に垂直に挿入した後、それらのスロット１３の両側に位置する工程用スロット１４にてモールドを用いて押し込むことができる。この工程は実現が容易であり、高い製造効率をもたらす。
【００３６】
６．伝熱銅管６によって、伝熱ベースプレート３から放熱フィン１２への熱伝導効率が向上する。
【００３７】
７．放熱フィン１２の側部にて固定する固定具１５によって、放熱フィン１２の固定安定性が大いに向上する。
【００３８】
８．Ｖ字形またはＵ字形の工程用スロット１４は、放熱フィン１２をしっかりと押し込むのに適している。
【００３９】
９．放熱フィン１２における通気ギャップおよび対流穴１７の構成によって、放熱フィン１２と空気との間の熱交換が強化され、街路照明モジュールの放熱性能が向上する。
【００４０】
上述は、本考案の詳細な一実施形態であって、本考案の権利範囲を限定するものではない。本考案の範囲から逸脱することなく実施形態に修正および追加ができると理解すべきである。
【符号の説明】
【００４１】
１  レンズアセンブリ、２  密閉リング、３  伝熱ベースプレート、４  放熱アセンブリ、５  ＬＥＤ照明器、６  レンズ、７  防水ボックス、８  保護被覆部、９  ワイヤ、１０  防水ジョイント、１１  取付けプレート、１２  放熱フィン、１３  スロット、１４  工程用スロット、１５  固定具、１６  伝熱銅管、１７  対流穴、１８  ブラケット。
【図１】
0003172317.tif 000003
【図２】
0003172317.tif 000004
【図３】
0003172317.tif 000005
【図４】
0003172317.tif 000006
【図５】
0003172317.tif 000007
【図６】
0003172317.tif 000008